(57)【要約】【課題】  現場で電気ドリルや溶接器具を必要とすることなく取り付けができる配線配管用の支持金具を提供すること。【解決手段】  断面コ字状のクランプ部と、該クランプ部にビスで着脱可能に取り付けられた短尺な矩形角筒状の挿通部材と、前記クランプ部に螺合される固定用ボルトとから構成された配線配管用の支持金具であって、前記挿通部材は、第１壁に前記クランプ部と結合させるビスを螺合するための第１の穴と、これに対向配置された第３壁に第１の穴より大径の第２の穴を備えると共に、第２壁にクランプ部と結合させるビスを螺合するための第３の穴と、これに対向配置された第４壁に第３の穴より大径の第４の穴を備えたので、現場で電気ドリルや溶接器具を必要とすることなく配線用の配管の取り付けができる。【選択図】  図１   
2005240864.tif 000002
【特許請求の範囲】
【請求項１】
断面コ字状のクランプ部と、
該クランプ部にビスで着脱可能に取り付けられた短尺な矩形角筒状の挿通部材と、
前記クランプ部に螺合される固定用ボルトとから構成された配線配管用の支持金具であって、
前記挿通部材は、第１壁に前記クランプ部と結合させるビスを螺合するための第１の穴と、これに対向配置された第３壁に第１の穴より大径の第２の穴を備えると共に、第２壁にクランプ部と結合させるビスを螺合するための第３の穴と、これに対向配置された第４壁に第３の穴より大径の第４の穴を備えたことを特徴とする配線配管用の支持金具。
【請求項２】
前記第１の穴と第３の穴とは、それぞれ直交配置されたことを特徴とする請求項１に記載の配線配管用の支持金具。
【請求項３】
前記挿通部材は、前記クランプ部に対して自由な角度で取り付けられることを特徴とする請求項１または２に記載の配線配管用の支持金具。
【請求項４】
前記挿通部材は、前記第１の穴と第３の穴の近傍に第１の穴または第３の穴より大径のネジ穴を備えたことを特徴とする請求項１〜３の何れか１に記載の配線配管用の支持金具。
【請求項５】
前記挿通部材は、挿通された部材を固定するための固定ボルトを備えたことを特徴とする請求項１〜４の何れか１に記載の配線配管用の支持金具。
【発明の詳細な説明】
【技術分野】
【０００１】
本発明は、柱や梁に配線用の配管を固定するための支持金具に関するものである。
【背景技術】
【０００２】
従来、建屋内のＨ鋼、チャンネル鋼、アングル鋼等の型鋼から成る柱や梁に配線用の配管を固定するための支持金具が種々提案されている。
例えば、特許文献１に配管用支持金具の取り付け構造が開示されている。
【特許文献１】特開平８−２００５５３号公報
【発明の開示】
【発明が解決しようとする課題】
【０００３】
しかし、従来の配線配管用の支持金具では、それぞれの型鋼に合わせた専用の支持金具が必要であったり、その都度、現場で電気ドリルで穴を開けたり、溶接する必要があった。それぞれの型鋼に合わせた専用の支持金具を使用するには、支持金具の種類が多くなり、作業現場に応じた支持金具を用意しなければならなかった。また、現場でこれらの穴開け、溶接作業を行うのは、足場等の関係で大変危険である上に、作業が煩雑であった。
【課題を解決するための手段】
【０００４】
前記目的を達成するために、請求項１に記載の発明は、断面コ字状のクランプ部と、該クランプ部にビスで着脱可能に取り付けられた短尺な矩形角筒状の挿通部材と、前記クランプ部に螺合される固定用ボルトとから構成された配線配管用の支持金具であって、前記挿通部材は、第１壁に前記クランプ部と結合させるビスを螺合するための第１の穴と、これに対向配置された第３壁に第１の穴より大径の第２の穴を備えると共に、第２壁にクランプ部と結合させるビスを螺合するための第３の穴と、これに対向配置された第４壁に第３の穴より大径の第４の穴を備えたことを特徴としている。
【０００５】
また、請求項２に記載の発明において、前記第１の穴と第３の穴とは、それぞれ直交配置されたことを特徴とするものである。
【０００６】
また、請求項３に記載の発明において、前記クランプ部に対して自由な角度で取り付けられることを特徴とするものである。
【０００７】
また、請求項４に記載の発明において、前記挿通部材は前記第１の穴と第３の穴の近傍に第１の穴または第３の穴より大径のネジ穴を備えたことを特徴とするものである。
【０００８】
また、請求項５に記載の発明において、前記挿通部材は、挿通された部材を固定するための固定ボルトを備えたことを特徴とするものである。
【発明の効果】
【０００９】
この発明は前記した構成からなるので、以下に説明するような効果を奏することができる。
【００１０】
請求項１に記載の発明では、断面コ字状のクランプ部と、該クランプ部にビスで着脱可能に取り付けられた短尺な矩形角筒状の挿通部材と、前記クランプ部に螺合される固定用ボルトとから構成された配線配管用の支持金具であって、前記挿通部材は、第１壁に前記クランプ部と結合させるビスを螺合するための第１の穴と、これに対向配置された第３壁に第１の穴より大径の第２の穴を備えると共に、第２壁にクランプ部と結合させるビスを螺合するための第３の穴と、これに対向配置された第４壁に第３の穴より大径の第４の穴を備えたので、現場で電気ドリルや溶接器具を必要とすることなく配線用の配管を取り付けができる。また、この大径の第２の穴或いは、第４の穴側からドライバー工具等を差し入れて挿通部材の締め付けや、取り外し作業が可能である。
【００１１】
また、請求項２に記載の発明において、前記第１の穴と第３の穴とは、それぞれ直交配置されたので、クランプ部を取り付けるＨ鋼やチャンネル鋼の位置が区々であっても、配線用の配管を自由な向きに取り付けることができる。
【００１２】
また、請求項３に記載の発明において、前記クランプ部に対して自由な角度で取り付けられるので、配線用の配管を支える配管取り付け桿の向きを用途に応じて選択することができる。
【００１３】
また、請求項４に記載の発明において、前記挿通部材は前記第１の穴と第３の穴の近傍に第１の穴または第３の穴より大径のネジ穴を備えたので、挿通部材がより大きな負荷を受ける可能性がある時に径の大きなビスを使用して、クランプ部に固定することができる。
【００１４】
また、請求項５に記載の発明において、前記挿通部材は、挿通された部材を固定するための固定ボルトを備えたので、配線用の配管を支える配管取り付け桿を確実に固定することができる。
【発明を実施するための最良の形態】
【００１５】
本発明は、断面コ字状のクランプ部と、該クランプ部にビスで着脱可能に取り付けられたな矩形角筒状の挿通部材と、前記クランプ部に螺合される固定用ボルトとから構成され、前記挿通部材が第１壁に前記クランプ部と結合させるビスを螺合するための第１の穴と、これに対向配置された第３壁に第１の穴より大径の第２の穴を備えると共に、第２壁にクランプ部と結合させるビスを螺合するための第３の穴と、これに対向配置された第４壁に第３の穴より大径の第４の穴を備え、溶接や穴開け作業をすることなく配線用の配管を自由な角度で設置できる配線配管用の支持金具を実現した。
【実施例】
【００１６】
以下、一実施の形態を示す図面に基づいて本発明を詳細に説明する。図１は、本発明に係る配線配管用の支持金具の一例を示す分解斜視図、図２は本発明の支持金具の挿通部材を示す縦断面図、図３は本発明の支持金具の挿通部材を取り付け位置を換えた場合を示す側面図、図４は本発明の支持金具の挿通部材を取り付け位置を換えた場合を示す側面図である。
【００１７】
ここで、配線配管用の支持金具１０は、断面コ字状のクランプ部１１と、該クランプ部１１にビス１２で着脱可能に取り付けられたな矩形角筒状の挿通部材１３と、前記クランプ部１１に螺合される固定用ボルト１４とから構成された配線配管用の支持金具であって、このクランプ部１１は、固定用ボルト１４が螺合されるネジ穴１５を有する第１対向壁１１ａと、前記挿通部材１３の取り付け可能な第１の固定穴１６が形成された第２対向壁１１ｂと、前記挿通部材１３の取り付け可能な第２の固定穴１７が形成された連結壁１１ｃとから成り、前記第１対向壁１１ａと第２対向壁１１ｂ、第２対向壁１１ｂと連結壁１１ｃはそれぞれ直角に配置されている。
【００１８】
挿通部材１３は、第１壁３１にクランプ部１１と結合させるビス１２を螺合するための第１の穴１８と、これに対向配置された第３壁３３に第１の穴１８より大径の第２の穴１９を備えると共に、第２壁３２にクランプ部１１と結合させるビス１２を螺合するための第３の穴２０と、これに対向配置された第４壁３４に第３の穴２０より大径の第４の穴２１を備えている。第１壁３１とい第２壁３２は、直交配置されており、第３壁３３と第４壁３４は直交配置されている。
【００１９】
また、第１の穴１８の形成された第１壁３１と直交する第２壁３２にビス１２を螺合するための第３の穴２０と、これに対向配置された第４壁３４に第３の穴２０より大径の第４の穴２１を備えている。第２の穴１９、第４の穴２１は、ドライバー工具等が容易に挿通するように、大きな径を有していおり、対向設置された第１の穴１８或いは第３の穴２０にビス１２を螺合する際に便利である。また、第１の穴１８と第３の穴２０は、挿通部材１３をクランプ部１１に取り付ける位置によって任意に使い分けることができる。
【００２０】
また、挿通部材１３は、挿通された配線用の配管等を支える配管取り付け桿等の挿通された部材を固定するための固定ボルト２２及び固定ボルト２２を装着する為のネジ穴２２ａを備えている。本実施例では、ネジ穴２２ａは、第４の穴２１の形成された側面に形成されており、第２の穴１９の形成された側面には、ネジ穴２２ｂがそれぞれ形成されている。
【００２１】
また、図２に示すように挿通部材１３は、前記第１の穴１８と第３の穴２０の近傍に第１の穴１８または第３の穴２０より大径のネジ穴３５、３６をそれぞれ備えている。したがって、より大径のビスを使用してクランプ部１１と連結することができる。
【００２２】
以上のように構成された本発明に係る配線配管用の支持金具１０の使用手順について説明する。先ず、図１、６に示すようにＨ鋼２３のフランジにクランプ部１１を固定用ボルト１４で固定する。次に、挿通部材１３をビス１２で取り付ける。この際、ビス１２は、大きな径を有する第２の穴１９側から、ドライバー工具等でねじ込むことができる。挿通部材１３のクランプ部１１に対する向きも、自在に回転することができる。
【００２３】
図６は、Ｈ鋼２３の左右フランジにクランプ部１１を固定用ボルト１４で固定し、それぞれに挿通部材１３をビス１２で取り付ける。また、挿通部材１３に配管取り付け桿２４を挿通し、固定ボルト２２で固定する。また、配管取り付け桿２４には、長尺ボルト２５を介して横桿２６を取り付け、この横桿２６の上の配線用の配管２７を設置する。このようにして配線用の配管２７を現場にて、溶接や穴開け作業を行うことなく、容易に取り付けることができる。
【００２４】
また、図３〜図５に示すようにクランプ部１１に対して挿通部材１３を自在な向きに取り付けることができるので、Ｈ鋼やチャンネル鋼に対して自由な向きに取り付けることができる。
したがって、配線用の配管を設置する方向を自由に選択して施工することができる。また、設置場所のＨ鋼やチャンネル鋼の配置に左右されることなく、所望の向きや位置に配線用の配管を設置することができる。更に、現場で穴開け作業や溶接作業をする必要がなく、安全に作業できる。
【００２５】
図６は、本発明の配線配管用の支持金具をＨ鋼のフランジに固定した場合を示す側面図である。本実施例おいて、水平方向に配置されたＨ鋼２３の下端側フランジ２３ａの左右にクランプ部１１をそれぞれ固定用ボルト１４で固定する。また、クランプ部１１の下端側に挿通部材１３をビス１２で左右の開口部が向き合うように固定する。更に、フランジ部２３ａの左右に配置された挿通部材１３に配管取り付け桿２４を挿通し、固定ボルト２２で固定する。このようにして、ほぼ水平に設置された配管取り付け桿２４から長尺ボルト２５を垂下させて、所定の距離を有して横桿２６を取り付ける。横桿２６の上には、配線用の配管２７を載せ図外の部材で固定する。配線用の配管２７は、このようにして設置された横桿２６の上に所定の間隔で取り付けられる。
【００２６】
図７は、本発明の配線配管用の支持金具をＨ鋼のフランジ部に垂直に固定した場合を示す横断面図、図８はその斜視図である。本実施例において、鉛直方向に設置されたＨ鋼（柱等）のフランジ部の左右にクランプ部１１を固定用ボルト１４で固定する。また、クランプ部１１に挿通部材１３を左右がほぼ同じ高さ位置となるように固定する。この際、左右の挿通部材１３の開口部は、それぞれ向き合うように取り付ける。そして、挿通部材１３の開口部には、配管取り付け桿２４を挿通し、固定ボルト２２で固定する。配管取り付け桿２４は、チャンネル型鋼等を使用することができ、本実施例ではチャンネル面を外側にして取り付ける。このチャンネル溝に図外の係止具を係合させて配線用の配管２７を鉛直に設置することができる。なお、クランプ部１１、挿通部材１３、配管取り付け桿２４は、適宜間隔でＨ鋼に取り付ける。
【００２７】
以上のように構成した場合、鉛直に設置された柱等に配線用の配管２７を取り付けることができる。
【００２８】
図９は、本発明の配線配管用の支持金具の別の実施例を示すクランプ部の斜視図である。本実施例において、クランプ部２８は、断面がほぼコ字状をしており、固定用ボルト１４が螺合されるネジ穴１５を有する第１対向壁２８ａと、挿通部材１３の取り付け可能な第１の固定穴１６と第１の固定穴１６より径の大きなビスの螺合可能な固定穴２９の形成された第２対向壁２８ｂと、前記挿通部材１３の取り付け可能な第２の固定穴１７及び第２の固定穴１７より径の大きなビスの螺合可能な固定穴３０が形成された連結壁２８ｃとから成り、前記第１対向壁２８ａと第２対向壁２８ｂ、第２対向壁２８ｂと連結壁２８ｃはそれぞれ直角に配置されている。
【００２９】
このように構成した場合、取り付ける挿通部材１３がより大きな負荷を受ける可能性がある時に径の大きなビスを使用して、クランプ部１１に固定することができる。したがって、挿通部材１３の受ける負荷に応じてクランプ部１１との接続のためのビスの太さを選択して使用することができる。
【図面の簡単な説明】
【００３０】
【図１】図１は、本発明に係る配線配管用の支持金具の一例を示す分解斜視図である。
【図２】図２は、同支持金具の挿通部材を示す縦断面図である。
【図３】図３は、同支持金具の挿通部材を取り付け位置を換えた場合を示す側面図である。
【図４】図４は、同支持金具の挿通部材を取り付け位置を換えた場合を示す側面図である。
【図５】図５は、同支持金具の挿通部材を取り付け位置を換えた場合を示す側面図である。
【図６】図６は、同配線配管用の支持金具をＨ鋼のフランジに固定した場合を示す側面図である。
【図７】図７は、同配線配管用の支持金具をＨ鋼のフランジ部に垂直に固定した場合を示す横断面図である。
【図８】図８は、同配線配管用の支持金具を使用して垂直方向に配管した場合を示す斜視図である。
【図９】図９は、同配線配管用の支持金具の別の実施例を示すクランプ部の斜視図である。
【符号の説明】
【００３１】
１０      支持金具
１１      クランプ部
１１ａ    第１対向壁
１１ｂ    第２対向壁
１１ｃ    連結壁
１２      ビス
１３      挿通部材
１４      固定用ボルト
１５      ネジ穴
１６      第１の固定穴
１７      第２の固定穴
１８      第１の穴
１９      第２の穴
２０      第３の穴
２１      第４の穴
２２      固定ボルト
２２ａ、ｂ  ネジ穴
２３      Ｈ鋼
２４      配管取り付け桿
２５      長尺ボルト
２６      横桿
２７      配線用の配管
２８      クランプ部
２９      固定穴
３０      固定穴
３１      第１壁
３２      第２壁
３３      第３壁
３４      第４壁
３５，３６  ネジ穴
【図１】
2005240864.tif 000003
【図２】
2005240864.tif 000004
【図３】
2005240864.tif 000005
【図４】
2005240864.tif 000006
【図５】
2005240864.tif 000007
【図６】
2005240864.tif 000008
【図７】
2005240864.tif 000009
【図８】
2005240864.tif 000010
【図９】
2005240864.tif 000011